(57)【要約】【課題】ロックアームの出っ張ぱり部分をなくしつつ、両持ち構造並みのロックフィーリングを得ることができるコネクタを提供する。【解決手段】雄・雌ハウジングの嵌合に伴なって、ロックアーム１１のサイド突起部１１ｂがサイド係合部２１ｂに干渉してロックアーム１１が横方向に所定量だけ撓むと、サイド突片部１１ｃの下方に雄ハウジング１の凸設部１１ｆが位置する。この時には、メイン係合部２１ａはロックアーム１１のメイン突起部１１ａに当接して対して下方に力を与える。この時、サイド突片部１１ｃの下方に凸設部１１ｆが位置しているので、ロックアーム１１は弓なりに撓む。そして、更に雄・雌ハウジングの嵌合を続けると、ロックアーム１１の撓みが開放されるタイミングに同期してメイン突起部１１ａとメイン係合部２１ａとが係合して、雄・雌ハウジングの嵌合が完了する。【選択図】図１
2006179266.tif 000002
【特許請求の範囲】
【請求項１】
嵌合及び離脱可能な雄・雌ハウジングを備えるコネクタであって、
前記雄・雌ハウジングの一方のハウジングに片持ち構造で延設され、縦横方向に可撓性を有するロックアームと、
前記ロックアームに設けられたメイン係止部と、
前記ロックアームの嵌合方向に平行な側面に設けられたサイド係止部と、
前記雄・雌ハウジングの他方のハウジングに形成された前記ロックアームの収容室に設けられ、前記雄・雌ハウジングの嵌合に伴なって、前記サイド係止部に干渉して前記ロックアームを横方向に撓ませるサイド係合部と、
前記ロックアームの上面に略平行である前記収容室の内壁面に設けられ、前記サイド係止部が前記サイド係合部に干渉して前記ロックアームが横方向に撓んで前記ロックアームの一部が前記一方のハウジングの一部に接触している時には、前記メイン係止部に当接して前記ロックアームを縦方向に撓ませるメイン係合部と、
を有することを特徴とするコネクタ。
【請求項２】
請求項１記載のコネクタにおいて、
前記サイド係合部は、前記横方向への所定量の撓みが開放された時前記サイド係止部と係合し、このタイミングに同期して、前記メイン係合部は、前記メイン係止部と係合する、
ことを特徴とするコネクタ。
【請求項３】
請求項２記載のコネクタにおいて、
前記ロックアームの端部には、
前記雄・雌ハウジングの嵌合時に縦方向に押圧されて、前記メイン係止部と前記メイン係合部との係合、及び、サイド係止部とサイド係合部との係合を解除する押圧部が設けられている、
ことを特徴とするコネクタ。
【請求項４】
請求項３記載のコネクタにおいて、
前記収容室における前記サイド係合部に対向する内壁面には、
前記ロックアームの縁部に摺動可能であり、且つ、前記縁部を下方から支持するリブが立設されている、
ことを特徴とするコネクタ。
【請求項５】
嵌合及び離脱可能な雄・雌ハウジングを備えるコネクタであって、
前記雄・雌ハウジングの一方のハウジングに片持ち構造で延設され、縦横方向に可撓性を有するロックアームと、
前記ロックアームに設けられ、当該ロックアームを縦方向に撓ませる第１メイン係止部と、
前記ロックアームに設けられ、当該ロックアームを横方向に撓ませる第２メイン係止部と、
前記雄・雌ハウジングの他方のハウジングに形成された前記ロックアームの収容室の内壁面に設けられ、前記第２メイン係止部に干渉して前記ロックアームを横方向に撓ませると共に、前記ロックアームが横方向に撓んで前記ロックアームの一部が前記一方のハウジングの一部に接触している時には、前記第１メイン係止部に当接して前記ロックアームを縦方向に撓ませるメイン係合部と、
を有することを特徴とするコネクタ。
【発明の詳細な説明】
【技術分野】
【０００１】
本発明は、嵌合及び離脱可能な雄・雌ハウジングを備えるコネクタに関し、特に、片持ち構造のロックアームを用いながらロックフィーリングを向上させたコネクタに関する。
【背景技術】
【０００２】
嵌合及び離脱可能な雄・雌ハウジングを備えるコネクタが知られている。雄・雌ハウジングにはそれぞれ、結合されるべき端子が含まれており、両ハウジングの嵌合及び離脱により各端子も接続及び離脱されるようになっている。図６は、この種の従来のコネクタを示す斜視図である。図７は、従来のコネクタの作用及び問題点を説明するための図である。
【０００３】
図６に示すように、箱型の雄ハウジング８は、両持ち構造のロックアーム８１、ロックアーム８１の両側に立設された一対のガイドリブ８２を含んで構成される。ロックアーム８１の上面には、突起部８１ａが突設されており、一方の端部近傍には四角ボタン状の押圧部８１ｂが設けられている。一方、雌ハウジング９は、雄ハウジング８の外径と同等の内径の収容部９３を有する箱型をしており、収容部９３には一対のガイドリブ８２に対応する一対のガイド溝９２が設けられている。また、収容部９３の一部は、ロックアーム８１の押圧部８１ｂ近傍の形状に対応するように切欠部９１ｂが形成されている。
【０００４】
このような雄ハウジング８及び雌ハウジング９を嵌合する時には、ガイドリブ８２とガイド溝９２とを位置合わせして、押圧部８１ｂを押し下げてロックアーム８１の上側を下方に変形させながら、図６中矢印で示す方向に、雄ハウジング８を雌ハウジング９に挿入していく。このとき、ロックアーム８１上の突起部８１ａは、雌ハウジング９の穴部（不図示）にロックされるまでは、雌ハウジング９のフードに当接しつつ奥に向けて進んでいく。そして、突起部８１ａが穴部に到達すると、突起部８１ａが穴部にロックして、ロックアーム８１が正常な状態に復元する。この結果、雄ハウジング８及び雌ハウジング９が嵌合されたコネクタが完成する。なお、嵌合完了時には、雄ハウジング８及び雌ハウジング９に取り付けられた各電線８４、９４も電気的に接続される。
【０００５】
なお、この出願の発明に関連する先行技術文献情報としては次のものがある。
【特許文献１】特開平１１−３１５５４号公報
【発明の開示】
【発明が解決しようとする課題】
【０００６】
ところで、この種のコネクタにおいては、雄ハウジング８及び雌ハウジング９の嵌合が確実に完了したことを確信するための感覚（以降、ロックフィーリングとよぶ）が重要である。すなわち、作業者は、このロックフィーリングをめやすにして嵌合成功を確信することができる。例えば、ロックフィーリングが不明瞭であると、作業者は、不安感を持ったり、再度試行したりする等、作業効率の低下につながることになる。
【０００７】
このため、このこの種のコネクタにおいては、図７の８１ｃ及び８１ｄに示すように、ロックアーム８１を両持ち構造にするようにしている。両持ち構造にすると、ロックアーム８１の反力（図７中上向きに作用する力）が比較的大きくなるため、適度なロックフィーリングを得ることができる。
【０００８】
その反面、押圧部８１ｂをロックアーム８１の後端部（図７の右端部）に設けることは困難になる。すなわち、押圧部８１ｂを後端部から所定距離Ｌだけ中央寄りに配置せざるを得なくなる。押圧部８１ｂの配置に合わせて雄ハウジング８を成形すると、上記Ｌの部分が、図６及び図７のように、ハウジングから出っ張ってしまう。仮に、ロックアーム８１の後端部（図７の右端部）に合わせて雄ハウジング８を成形すると、雄ハウジング８が大型化して好ましくない。
【０００９】
更に、ロックアーム８１を両持ち構造にすると、ロックフィーリングは好適になるが、反力が大きくなるぶんだけ、雄ハウジング８及び雌ハウジング９の離脱時のロック解除作業及び離脱作業が困難になる。
【００１０】
要するに、図６及び図７に示すように、ロックアーム８１を両持ち構造にすると、押圧部８１ｂより外側に図６及び図７に示すＬのような出っ張り部分が発生すると共にロック解除作業が困難になるという問題があった。
【００１１】
よって本発明は、上述した現状に鑑み、ロックアームの出っ張ぱり部分をなくしつつ、両持ち構造並みのロックフィーリングを得ることができるコネクタを提供することを課題としている。また、本発明は、雄・雌ハウジングの離脱作業を容易にし、且つ、両持ち構造並みのロックフィーリングを得ることができるコネクタを提供することを課題としている。
【課題を解決するための手段】
【００１２】
上記課題を解決するためになされた請求項１記載のコネクタは、嵌合及び離脱可能な雄・雌ハウジングを備えるコネクタであって、前記雄・雌ハウジングの一方のハウジングに片持ち構造で延設され、縦横方向に可撓性を有するロックアームと、前記ロックアームに設けられたメイン係止部と、前記ロックアームの嵌合方向に平行な側面に設けられたサイド係止部と、前記雄・雌ハウジングの他方のハウジングに形成された前記ロックアームの収容室に設けられ、前記雄・雌ハウジングの嵌合に伴なって、前記サイド係止部に干渉して前記ロックアームを横方向に撓ませるサイド係合部と、前記ロックアームの上面に略平行である前記収容室の内壁面に設けられ、前記サイド係止部が前記サイド係合部に干渉して前記ロックアームが横方向に撓んで前記ロックアームの一部が前記一方のハウジングの一部に接触している時には、前記メイン係止部に当接して前記ロックアームを縦方向に撓ませるメイン係合部と、を有することを特徴とする。
【００１３】
請求項１記載の発明によれば、雄・雌ハウジングの嵌合に伴なって、ロックアームのサイド係止部がサイド係合部に干渉してロックアームが横方向に撓んだ時には、メイン係合部はロックアームのメイン係止部に当接して対して下方に力を与える。しかしながら、ロックアームの一部が一方のハウジングの一部に接触しているので、片持ち構造のロックアームはメイン係止部に力を与えられて弓なりに撓む。
【００１４】
上記課題を解決するためになされた請求項２記載のコネクタは、請求項１記載のコネクタにおいて、前記サイド係合部は、前記横方向への所定量の撓みが開放された時前記サイド係止部と係合し、このタイミングに同期して、前記メイン係合部は、前記メイン係止部と係合する、ことを特徴とする。
【００１５】
請求項２記載の発明によれば、雄・雌ハウジングの嵌合に伴なって、ロックアームのサイド係止部がサイド係合部に干渉してロックアームが横方向に撓んだ時には、メイン係合部はロックアームのメイン係止部に当接して対して下方に力を与える。しかしながら、ロックアームの一部が一方のハウジングの一部に接触しているので、片持ち構造のロックアームはメイン係止部に力を与えられて弓なりに撓む。そして、更に雄・雌ハウジングの嵌合を続けると、ロックアームの撓みが開放されるタイミングに同期してメイン係止部とメイン係合部とが係合する。
【００１６】
上記課題を解決するためになされた請求項３記載のコネクタは、請求項２記載のコネクタにおいて、前記ロックアームの端部には、前記雄・雌ハウジングの嵌合時に縦方向に押圧されて、前記メイン係止部と前記メイン係合部との係合、及び、サイド係止部とサイド係合部との係合を解除する押圧部が設けられている、ことを特徴とする。
【００１７】
請求項３記載の発明によれば、ロックアームの端部に設けられた押圧部を、雄・雌ハウジングの嵌合時に縦方向に押圧すると、メイン係止部とメイン係合部との係合、及び、サイド係止部とサイド係合部との係合が解除される。すなわち、片持ち構造に対する力を加えるだけで、メイン係止部とメイン係合部との係合、及び、サイド係止部とサイド係合部との係合を解除することができる。また、この解除後には、押圧部を押し下げたまま雄・雌ハウジングを引き離すことにより、容易に雄・雌ハウジングを離脱することができる。
【００１８】
上記課題を解決するためになされた請求項４記載のコネクタは、請求項３記載のコネクタにおいて、前記収容室における前記サイド係合部に対向する内壁面には、前記ロックアームの縁部に摺動可能であり、且つ、前記縁部を下方から支持するリブが立設されている、ことを特徴とする。
【００１９】
請求項４記載の発明によれば、雄・雌ハウジングの嵌合時には、収容室における内壁面に立設されているリブに沿ってロックアームの縁部を摺動させることにより、ロックアームの位置決め及び挿入が容易になる。
【００２０】
上記課題を解決するためになされた請求項５記載のコネクタは、嵌合及び離脱可能な雄・雌ハウジングを備えるコネクタであって、前記雄・雌ハウジングの一方のハウジングに片持ち構造で延設され、縦横方向に可撓性を有するロックアームと、前記ロックアームに設けられ、当該ロックアームを縦方向に撓ませる第１メイン係止部と、前記ロックアームに設けられ、当該ロックアームを横方向に撓ませる第２メイン係止部と、前記雄・雌ハウジングの他方のハウジングに形成された前記ロックアームの収容室の内壁面に設けられ、前記第２メイン係止部に干渉して前記ロックアームを横方向に撓ませると共に、前記ロックアームが横方向に撓んで前記ロックアームの一部が前記一方のハウジングの一部に接触している時には、前記第１メイン係止部に当接して前記ロックアームを縦方向に撓ませるメイン係合部と、を有することを特徴とする。
【００２１】
請求項５記載の発明によれば、雄・雌ハウジングの嵌合に伴なって、メイン係合部が第２メイン係止部に干渉してロックアームを横方向に撓ませると共に、ロックアームが横方向に撓んでロックアームの一部が一方のハウジングの一部に接触している時には、メイン係合部は第１メイン係止部に当接してロックアームを縦方向に撓ませる。これにより、片持ち構造のロックアームが一時的に両持ち構造になる。
【発明の効果】
【００２２】
請求項１記載の発明によれば、雄・雌ハウジングの嵌合に伴なって、ロックアームのサイド係止部がサイド係合部に干渉してロックアームが横方向に撓んだ時には、メイン係合部はロックアームのメイン係止部に当接して対して下方に力を与える。しかしながら、ロックアームの一部が一方のハウジングの一部に接触しているので、片持ち構造のロックアームはメイン係止部に力を与えられて弓なりに撓む。したがって、従来例に示した両持ち構造のようにロックアームが後方に出っ張ぱって必要以上に長くなることなく、片持ち構造でありながら両持ち構造並みのロックフィーリングを得ることができる。
【００２３】
請求項２記載の発明によれば、雄・雌ハウジングの嵌合に伴なって、ロックアームのサイド係止部がサイド係合部に干渉してロックアームが横方向に撓んだ時には、メイン係合部はロックアームのメイン係止部に当接して対して下方に力を与える。しかしながら、ロックアームの一部が一方のハウジングの一部に接触しているので、片持ち構造のロックアームはメイン係止部に力を与えられて弓なりに撓む。そして、更に雄・雌ハウジングの嵌合を続けると、ロックアームの撓みが開放されるタイミングに同期してメイン係止部とメイン係合部とが係合する。したがって、より良好なロックフィーリングを得ることができる。
【００２４】
請求項３記載の発明によれば、ロックアームの端部に設けられた押圧部を、雄・雌ハウジングの嵌合時に縦方向に押圧すると、メイン係止部とメイン係合部との係合、及び、サイド係止部とサイド係合部との係合が解除される。すなわち、片持ち構造に対する力を加えるだけで、メイン係止部とメイン係合部との係合、及び、サイド係止部とサイド係合部との係合を解除することができる。また、この解除後には、押圧部を押し下げたまま雄・雌ハウジングを引き離すことにより、容易に雄・雌ハウジングを離脱することができる。もちろん、嵌合時には上述したように両持ち構造並のロックフィーリングを得ることができる。
【００２５】
請求項４記載の発明によれば、雄・雌ハウジングの嵌合時には、収容室における内壁面に立設されているリブに沿ってロックアームの縁部を摺動させることにより、ロックアームの位置決め及び挿入が容易になる。また、雄・雌ハウジングの嵌合完了時には、このリブによりロックアームの縁部が下方から支持されて嵌合状態が安定する。
【００２６】
請求項５記載の発明によれば、雄・雌ハウジングの嵌合に伴なって、メイン係合部が第２メイン係止部に干渉してロックアームを横方向に撓ませると共に、ロックアームが横方向に撓んでロックアームの一部が一方のハウジングの一部に接触している時には、メイン係合部は第１メイン係止部に当接してロックアームを縦方向に撓ませる。これにより、片持ち構造のロックアームが一時的に両持ち構造になる。したがって、従来例に示した両持ち構造のようにロックアームが後方に出っ張ぱって必要以上に長くなることなく、片持ち構造でありながら両持ち構造並みのロックフィーリングを得ることができる。
【発明を実施するための最良の形態】
【００２７】
以下、本発明の実施の形態を図面に基づいて説明する。図１は、本発明のコネクタの一実施形態を示す斜視図である。図２は、図１のコネクタを別角度からみた斜視図である。
【００２８】
図１に示すように、本コネクタは、互いに嵌合及び離脱可能であり、例えば樹脂製の雄ハウジング１及び雌ハウジング２から構成される。雄ハウジング１及び雌ハウジング２は、図示しないが複数の電線及びこれら電線の端部に取り付けられた雄・雌ピン端子を有する。例えば、複数の雌ピン端子がそれぞれ雄ハウジング１の各ピン収容部１４に収容され、これら雌ピン端子が、雌ハウジング２の図示しない各ピン収容部に収容される雄ピン端子に結合可能である。この意味で、ハウジング１及び２の雄雌を逆によぶこともあるが、雄雌の呼び方は本発明の主旨を限定するものではない。
【００２９】
雄ハウジング１は、略箱型をしており、ロックアーム１１が形成された中央部、その両側の両側部１２及び１３から構成されている。雄ハウジング１は、略箱型をしており、雄ハウジング１の中央部、両側部１２及び１３に対応する収容部２１、２２及び２３から構成されている。雄ハウジング１及び雌ハウジング２の嵌合に伴って、雄ハウジング１の中央部、両側部１２及び１３はそれぞれ、雌ハウジング２の収容部２１、２２及び２３に収容される。
【００３０】
詳しくは、雄ハウジング１の中央部には、図１及び図２に示すように、片持ち部１１ｄで支持される片持ち構造の舌片状のロックアーム１１が延設されている。ロックアーム１１は、縦（図中Ｙで示す）横（図中Ｘで示す）方向に可撓性を有する。実際的には、片持ち部１１ｄによりこの可撓性は可能になっている。ロックアーム１１の端部には、雄・雌ハウジングの嵌合時に縦方向に押圧されて、後述のメインアーム突起部１１ａとメイン係合部２１ａとの係合を解除する押圧部１１ｅが形成されている。補足すると、押圧部１１ｅによりメイン突起部１１ａとセンタ突起部２１ａとのロックが解除されたときには、メインアーム１１の横端部に設けられたサイド突片部１１ｃと、雄ハウジング１に設けられた凸設部１１ｆとは重なり合わないようになっている。言い換えると、凸設部１１ｆは、ロックアーム１１に横方向に所定量の撓みがあるときだけ、サイド突片部１１ｃの下方に位置するように、雄ハウジング１に設けられている。
【００３１】
また、ロックアーム１１の嵌合方向に平行である側面のうち、上記突片部１１ｃが形成される側面と異なる側面には、断面台形状のサイド突起部１１ｂが設けられており、ロックアーム１１の上面には、同じく断面台形状のメイン突起部１１ａが設けられている。サイド突起部１１ｂは、図中、前方から後方にかけて上り坂状になっており、メイン突起部１１ａはメインアーム１１の長手方向と略直角方向に延びる台形角柱状になっている。突起部１１ａは、図中、前面は絶壁状であり前方から後方にかけて下り坂状になっている。これらメイン突起部１１ａ及びサイド突起部１１ｂ等の作用については図３を用いて後述する。
【００３２】
また、詳しくは、雌ハウジング２は、図１及び図２に示すように、雄ハウジング１の外径と同等の内径を有する略箱型をしており、雄ハウジング１のメインアーム１１に対応する中央部の収容室２１に特徴がある。この収容室２１には、メインアーム１１の片持ち部１１ｄ側から挿入される。収容室２１の内壁面には、雄・雌ハウジングの嵌合に伴なって、上記サイド突起部１１ｂに干渉してロックアーム１１を横方向（Ｘ方向）に所定量だけ撓ませ、更に嵌合が進行して、この撓みが開放されるとサイド突起部１１ｂと係合するサイド係合部２１ｂが形成されている。サイド係合部２１ｂもまた、図中、前方から後方にかけて上り坂状になってその後ろは絶壁状になっている。
【００３３】
収容室２１におけるサイド係合部２１ｂに対向する内壁面には、ロックアーム１１の縁部に摺動可能であり、且つ、この縁部を下方から支持するリブ２１ｄが嵌合方向と平行に延びるように立設されている。また、嵌合時のロックアーム１１の上面に略平行である収容室２１の内壁面には、上記メイン突起部１１ａと係合するメイン係合部２１ａが突設されている。メイン係合部２１ａは、サイド突起部１１ｂがサイド係合部２１ｂに干渉している時にはメイン突起部１１ａに当接して対して下方に力を与え、更にこの力が開放されるタイミングに同期してメイン突起部１１ａと係合する。メイン係合部２１ａは、メイン突起部１１ａと平行方向に延びるように、突設されている。
【００３４】
このような構成の本コネクタに係る作用及び効果を図３を用いて説明する。図３（Ａ）〜図３（Ｄ）はそれぞれ、雄ハウジング及び雌ハウジングが嵌合していく状態を示す雄ハウジング及び雌ハウジングの要部上面図である。
【００３５】
図１及び図２に示したように完全に離脱した状態の雄ハウジング１及び雌ハウジング２は、嵌合開始時には、まず、雄ハウジング１の中央部、両側部１２及び１３を、雌ハウジング２の収容部２１、２２及び２３に位置合わせする。特に、収容室２１におけるリブ２１ｄ及びロックアーム１１の縁部を利用すると、位置合わがより容易になる。
【００３６】
そして、図３（Ａ）に示すように、メインアーム１１の３分の１程度が収容部２１に挿入されるように、雄ハウジング１を雌ハウジング２に差し込む。このとき、図示しないが、両側部１２及び１３と収容部２２及び２３とも同程度挿入されている。なお、以下の説明でもこれは同様である。この状態では、未だ、メイン突起部１１ａとメイン係合部２１ａと、サイド突起部１１ｂとサイド係合部２１ｂとは共に接触していない。したがって、メインアーム１１は縦横方向のいずれにも撓んでいない。
【００３７】
続いて、図３（Ａ）に示した状態から、図３（Ａ）中Ｚで示す方向に、更に雄ハウジング１を雌ハウジング２に差し込むと、サイド突起部１１ｂとサイド係合部２１ｂとが接触した後、サイド係合部２１ｂがサイド突起部１１ｂに干渉して、メインアーム１１が図３（Ｂ）中Ｘで示す方向に撓む。このとき、メイン突起部１１ａとメイン係合部２１ａは接触初期であるのでメインアーム１１はほとんど縦方向に撓んでいない。すなわち、メインアーム１１はほとんど縦方向に撓む前に、サイド突片部１１ｃが凸設部１１ｆに一部、かぶさるようになっている。
【００３８】
続いて、図３（Ｂ）に示した状態から、図３（Ｂ）中Ｚで示す方向に、更に雄ハウジング１を雌ハウジング２に差し込むと、サイド突起部１１ｂがサイド係合部２１ｂに乗りあがり、サイド係合部２１ｂがサイド突起部１１ｂに干渉して、メインアーム１１が図３（Ｃ）中Ｘで示す方向に最大限撓む。このとき、メイン突起部１１ａとメイン係合部２１ａも完全に当接し、且つ、サイド突片部１１ｃが凸設部１１ｆに完全にかぶさるようになっているので、メインアーム１１も十分に縦方向に撓んでいる。すなわち、片持ち構造のメインアーム１１は、片持ち部１１ｄとサイド突片部１１ｃ（凸設部１１ｆ）とにより、このときだけは両持ち構造と同等になっている。この状態において、メイン突起部１１ａには下方向に大きな力が与えられるため、好適なロックフィーリングを得るために必要な、上方に大きな反力が発生することになる。
【００３９】
続いて、図３（Ｃ）に示した状態から、図３（Ｃ）中Ｚで示す方向に、更に雄ハウジング１を雌ハウジング２に差し込むと、サイド突起部１１ｂがサイド係合部２１ｂを乗り越えると同時に、メインド突起部１１ａもメイン係合部２１ａを乗り越えて、図３（Ｄ）に示した状態になる。すなわち、サイド突起部１１ｂがサイド係合部２１ｂを乗り越えるとロックアーム１１は撓みのない状態に復元し、このタイミングに同期して、サイド突起部１１ｂとサイド係合部２１ｂとが係合し、同時に、メインド突起部１１ａもメイン係合部２１ａと係合する。そして、図３（Ｄ）に示したように、雄ハウジング１及び雌ハウジング２の嵌合が完了する。なお、これと同時に各ハウジングに取り付けられた各電線も電気的に接続される。
【００４０】
したがって、図６で示した両持ち構造のコネクタのようにロックアームが後方に出っ張ぱって必要以上に長くなることなく、片持ち構造でありながら両持ち構造並みのロックフィーリングを得ることができる。
【００４１】
なお、図３（Ｄ）に示した嵌合状態から、雄ハウジング１及び雌ハウジング２を離脱する時には、押圧部１１ｅを縦方向に押圧しつつ、図３（Ｄ）中Ｚ′で示す方向に、押圧部１１ｅを引っ張るだけでよい。
【００４２】
補足すると、嵌合状態において、押圧部１１ｅを縦方向に押圧すると、メイン突起部２１ａとメイン係合部１１ａとが上下にずれてこれらの係合が解除され、同時に、サイド突起部１１ｂとサイド係合部２１ｂとが上下にずれてこれらの係合も解除される。また、嵌合状態においては、図３（Ｄ）に示すように、サイド突片部１１ｃも凸設部１１ｆにかぶさっていないので、押圧部１１ｅを縦方向に押圧したまま引っ張ると雄ハウジング１及び雌ハウジング２を容易に離脱することができる。したがって、片持ち構造に対する力を加えるだけでロックを解除することができ、容易に雄ハウジング１及び雌ハウジング２を離脱することができる。
【００４３】
以上説明したように、本発明の実施形態によれば、従来例のようなロックアームの出っ張ぱり部分をなくしつつ、片持ち構造でありながら両持ち構造並みのロックフィーリングを得ることができる。また、雄ハウジング１及び雌ハウジング２の離脱作業時には、基本的に片持ち構造の作用が働くため、離脱作業が容易になる。
【００４４】
なお、雄ハウジング１及び雌ハウジング２の嵌合時には、収容室２１における内壁面に立設されているリブ２１ｄに沿ってロックアーム１１の縁部を摺動させることにより、ロックアーム１１の位置決め及び挿入が容易になる。また、雄ハウジング１及び雌ハウジング２の嵌合完了時には、このリブ２１ｄによりロックアーム１１の縁部が下方から支持されて嵌合状態が安定する。
【００４５】
また、雄・雌は便宜上名付けたもので、本発明を限定するものではない。また、上記実施形態で例示した各リブ、突起部、係合部等は左右逆に配置してもよい。また、ハウジングの中央部に上記ロック機構を配置したが、適宜、左寄り又は右よりに配置してもよいし、場合によっては複数のロック機構を配置するようにしてもよい。
【００４６】
また、図４の雌ハウジング２′に示すように、上記サイド係合部２１ｂの替わりに、壁無部２１ｂ′を設けてもよい。但し、これに対応して、この壁無部２１ｂ′に係止されるサイド突起部の形状も若干変更される。また、ロックアーム１１のサイド突片部１１ｃ及びハウジング１の凸設部１１ｆの替わりに、図示しないが、サイド突片部１１ｃを厚めにすることにより凸設部１１ｆを不要とすることも可能である。また、サイド突片部１１ｃは、必ずしも、突片である必要はない。要は、ロックアーム１１が横方向に撓んでアーム１１の一部がハウジング１の一部に接触すればよく、また、この時にメイン係合部２１ａがメイン係止部１１ａに当接してロックアームが縦方向に撓むようすればよい。また、図示しないが、メイン突起部１１ａ（図１参照）に替えて溝部を形成してもよい。但し、これに対応して、この溝部に係合するメイン係合部２１ａの形状も若干変更される。第１実施形態に対応する発明は、これら小変更されたものも含むものである。
【００４７】
更に、図５において他の実施形態として示す雄ハウジング１′のように、ロックアーム１１′に、当該ロックアーム１１′を縦方向に撓ませるテーパ状の第１メイン係止部１１ａｙと、当該ロックアーム１１′を横方向に撓ませるテーパ状の第２メイン係止部１１ａｘを設けるようにしてもよい。これにより、雄ハウジングにおいて、サイド突起部１１ｂ（図１参照）が不要となり、雌ハウジングにおいて、サイド係合部２１ｂ（図１参照）が不要となる。これ以外の雄ハウジング及び雌ハウジングの構造は、図１及び図２で示したものと同様となる。
【００４８】
この他の実施形態によれば、雄・雌ハウジングの嵌合に伴なって、メイン係合部２１ａが第２メイン係止部１１ａｘに干渉してロックアーム１１′を横方向に撓ませると共に、当該ロックアーム１１′が横方向に撓んでロックアーム１１′の一部が一方のハウジング１の一部に接触している時には、メイン係合部２１ａは第１メイン係止部１１ａｙに当接してロックアーム１１′を縦方向に撓ませる。これにより、片持ち構造のロックアーム１１′が一時的に両持ち構造になる。したがって、従来例に示した両持ち構造のようにロックアームが後方に出っ張ぱって必要以上に長くなることなく、片持ち構造でありながら両持ち構造並みのロックフィーリングを得ることができる。
【図面の簡単な説明】
【００４９】
【図１】本発明のコネクタの一実施形態を示す斜視図である。
【図２】図１のコネクタを別角度からみた斜視図である。
【図３】図３（Ａ）〜図３（Ｄ）はそれぞれ、雄ハウジング及び雌ハウジングが嵌合していく状態を示す雄ハウジング及び雌ハウジングの要部上面図である。
【図４】上記実施形態のバリエーションを示す斜視図である。
【図５】本発明のコネクタの他の実施形態を示す斜視図である。
【図６】この種の従来のコネクタを示す斜視図である。
【図７】従来のコネクタの作用及び問題点を説明するための図である。
【符号の説明】
【００５０】
１  雄ハウジング
２  雌ハウジング
１１  ロックアーム
１１ａ  メイン突起部（請求項のメイン係止部）
１１ｂ  サイド突起部（請求項のサイド係止部）
１１ｃ  サイド突片部
１１ｅ  押圧部
１１ｆ  凸設部
２１  アーム収容室
２１ａ  メイン係合部
２１ｂ  サイド係合部
２１ｄ  リブ
【図１】
2006179266.tif 000003
【図２】
2006179266.tif 000004
【図３】
2006179266.tif 000005
【図４】
2006179266.tif 000006
【図５】
2006179266.tif 000007
【図６】
2006179266.tif 000008
【図７】
2006179266.tif 000009